(57)【要約】　　　（修正有）【課題】洗濯後の乾きの遅い厚手のシャツや、梅雨時や冬期間、洗濯物の乾きの悪い時など、ハンガーにかけた時、洗濯物の前と後ろの間に隙間をつくり風通しを良くして乾燥を早めようとするものである。【解決手段】本体１と本体２との間に中折れブリッジ３を設けて、中折れブリッジを開くと洗濯されたシャツの前と後ろに隙間ができ、風通しが良くなる。【選択図】図１
2004073809.tif 000002
【特許請求の範囲】
【請求項１】
本体Ａと本体Ｂの間に中折れブリッジを設け、本体Ａと本体Ｂを開けたり、閉じたりできるハンガー。
【請求項２】
洗濯物の重みによって本体に接続されていた突起状の爪が下がり、連動するアームが跳ね上る構造のハンガー。
【発明の詳細な説明】
【０００１】
【発明の属する技術分野】
本発明は洗濯、あるいは洗浄されたシャツ類、上着類の乾燥を早める作用を有するハンガーに関するものである。
【０００２】
【従来の技術】
従来、ハンガーとはシャツ、上着類の形を整えて保管、あるいは洗濯、洗浄のあとの乾燥に利用するだけのものであり、衣類の乾燥に関しては自然の天候、温度に任せるといった他律的なものであり、乾燥を自ら早めるという自立的な発想はなかった。
【０００３】
【発明が解決しようとする課題】
この発明では、洗濯物の乾きの遅い梅雨時、あるいは冬期間、洗濯あるいは洗浄されたシャツ、上着類の乾きを早めようとするものである。
【０００４】
【課題を解決するための手段】
図面に示されているようにこの発明は基本的につぎのような構成からなるものである。
即ち、
【図１】において、
（イ）本体Ａ。１
（ロ）本体Ｂ。２
（ハ）本体Ａと本体Ｂの間にあり、二つの本体を開いたり閉じたりする中
折れブリッジ。３
【図２】において
（イ）本体Ｃ。４
（ロ）濡れた洗濯物をかけるとその重みでアーム６を跳ね上げ本体４とア
ーム６の間に隙間をつくる。爪。５
（ハ）アーム。６
以上が本発明の基本的構成である。
【０００５】
【発明の実施の形態】
以下、本発明の実施の形態について説明する。
【図１】において、洗濯後のシャツや衣類をこのハンガーで乾かそう、と思った場合、中折れブリッジ３を開き本体Ａと本体Ｂの間に隙間をつくりシャツや衣類をかける。
【図２】において、通常アーム６は本体Ｃ４に対して閉じており、爪５はアーム６に対して角度をもって上向いている。洗濯されたシャツや衣類を本体４にかけると水分を吸ったシャツや衣類の重みで爪５はアーム６を持ち上げ、アーム６と本体４の間に隙間をつくる。
【０００６】
【発明の効果】
【図１】における中折れブリッジ３によって隙間をつくる場合でも、
【図２】における爪５とアーム６の連動によって本体Ｃ４とのあいだに隙間をつくる場合でも、従来濡れたシャツや衣類を既存のハンガーにかけると前と後ろが引っ付き、乾きにくいという現実があった。本発明により、濡れた洗濯物の前と後ろに隙間をつくることにより、風通しがよくなり、洗濯物の乾きが早くなるのである。
【０００７】
【図面の簡単な説明】
図面は、本発明の技術的思想を具体化してなる代表的な実施例に基づくものである。
【図１】中折れブリッジ３をひらき、本体Ａ１と本体Ｂ２のあいだに隙間を作っているところの全体斜視図である。
【図２】発明の実施の形態に記載の使用状態であるが、上部からの水分をたっぷり含んだシャツや衣類の重みにより爪５の先端部分が下がり、連動したアーム６が跳ね上がり、本体Ｃ４とのあいだに隙間ができた状態を示す図である。
【０００８】
【符号の説明】
１　本体Ａ
２　本体Ｂ
３　中折れブリッジ
４　本体Ｃ
５　爪
６　アーム
【図１】
2004073809.tif 000003
【図２】
2004073809.tif 000004
【手続補正書】
【提出日】平成14年12月24日(2002.12.24)
【手続補正１】
【補正対象書類名】明細書
【補正対象項目名】全文
【補正方法】変更
【補正の内容】
【発明の詳細な説明】
【特許請求の範囲】
【請求項１】本体Ａと本体Ｂの間の中折れブリッジを設け、本体Ａと本体Ｂを開けたり、閉じたりできるハンガー。
【請求項２】洗濯物の重みによって本体に接続されていた突起状の爪が下がり、連動するアームが跳ね上る構造のハンガー。
【請求項３】本体Ｄの下部に取り付けた長方形、あるいは楕円状のリングを回転させ、洗濯物の前と後ろの間に洗濯物の乾燥を早めるための空間をつくるハンガー。
【発明の詳細な説明】
【発明の属する技術分野】
本発明は洗濯、あるいは洗浄されたシャツ、厚手の上着類の乾燥を早める作用を有するハンガーに関するものである。
【従来の技術】
従来、ハンガーとはシャツ、上着類の形を整えて保管、あるいは洗濯、洗浄のあとの乾燥に利用するものであり、衣類の乾燥にかんしては自然の天候、温度の任せるといった他律的なものであり、乾燥を自ら早めていくという自立的な発想はなかった。
【発明が解決しようとする課題】
この発明では、洗濯物の乾きの遅い梅雨時、あるいは冬期間に洗濯あるいは洗浄されたシャツ、厚手の上着類の乾きを早めようとするものである。
【課題を解決するための手段】
図面に示されているように、この発明は基本的につぎのような構成からなるものである。
即ち、
【図１】において、
（イ）　　　本体Ａ。１
（ロ）　　　本体Ｂ。２
（ハ）　　　本体Ａと本体Ｂの間にあり、二つの本体を開いたり閉じたりする中折れブリッジ。３
【図２】において、
（イ）　　　本体Ｃ。４
（ロ）　　　濡れた洗濯物をかけるとその重みでアーム６を跳ね上げ本
体４とアーム６の間に隙間をつくる。爪。５
（ハ）　　　アーム。６
【図３】において、
（イ）　　　本体Ｄ。７
（ロ）　　　長方形あるいは楕円状リング。８
以上が本発明の基本構成である。
【発明の実施の形態】
以下、本発明の実施の形態について説明する。
【図１】において、洗濯後のシャツや衣類をこのハンガーで乾かす場合、中折れブリッジ３を開き本体Ａと本体Ｂの間に隙間をつくり、シャツや衣類をかける。
【図２】において、通常アーム６は本体Ｃ４に対して閉じており、爪５はアーム６に対して角度をもって上向いている。洗濯されたシャツや衣類を本体４にかけるとその重みで爪５はアーム６を持ち上げ、アーム６と本体４の間に隙間をつくる。
【図３】において、使用する場合、本体Ｄ７の下部に取り付けた長方形、あるいは楕円状リング８を９０度に開く。この状態はハンガーにかけた洗濯物の前と後ろの間に空間を作り出し、空気の流れを促し、洗濯物の乾燥を早める効果をあげるものである。また、未使用の時は長方形あるいは楕円状リング８を閉じる。
【発明の効果】
本発明により、濡れた洗濯物の前と後ろの間に隙間をつくることによって、風通しが良くなり、洗濯物の乾きが早くなるのである。
【図面の簡単な説明】
【図１】中折れブリッジ３を開き、本体Ａ１と本体Ｂ２の間に隙間をつくっているところの全体斜視図である。
【図２】洗濯したシャツや衣類をハンガーにかけた場合、その重みで爪５の先端が下がり、その動きに連動したアーム６が跳ね上り、本体Ｃ４との間に隙間ができた状態を示す図である。
【図３】本体Ｄ７の下部に取り付けた長方形、あるいは楕円状リング８を閉じた状態と開いた状態を示すものである。
閉じている状態はハンガーを未使用の時。
開いている状態はハンガーを使用する時。
【符号の説明】
１　本体Ａ
２　本体Ｂ
３　中折れブリッジ
４　本体Ｃ
５　爪
６　アーム
７　本体Ｄ
８　長方形あるいは楕円状リング
【手続補正２】
【補正対象書類名】図面
【補正対象項目名】図３
【補正方法】追加
【補正の内容】
【図３】
2004073809.tif 000005